(57)【要約】【課題】パッティングを行った際に、ゴルフボールに強い正順方向回転を与えて伸びのある直進的な転がりを容易に得ることのできるゴルフパターヘッドを実現する。【解決手段】ゴルフボールＢを打つフェース面12と、地面Ｇと接地するソール面14を有するゴルフパターヘッド10であって、上記フェース面12を、ゴルフボールＢの半径Ｒ１と略同一の曲率半径Ｒ２を有する円弧面と成すと共に、上記ソール面14を地面Ｇに接地させた状態において、ゴルフボールＢとフェース面12とを当接させた際の当接位置Ｈが、ゴルフボールＢの赤道Ｓより下方に配置されるよう構成した。【選択図】図１
2008012200.tif 000002
【特許請求の範囲】
【請求項１】
ゴルフボールを打つフェース面と、地面と接地するソール面を有するゴルフパターヘッドであって、上記フェース面を、ゴルフボールの半径と略同一の曲率半径を有する円弧面と成すと共に、上記ソール面を地面に接地させた状態において、ゴルフボールとフェース面とを当接させた際の当接位置が、ゴルフボールの赤道より下方に配置されるよう構成したことを特徴とするゴルフパターヘッド。
【請求項２】
ゴルフボールとフェース面との当接位置が、当該ゴルフボールの直径の５〜２０％に相当する長さ分、ゴルフボールの赤道より下方に配置されるよう構成したことを特徴とする請求項１に記載のゴルフパターヘッド。
【発明の詳細な説明】
【技術分野】
【０００１】
この発明は、ゴルフパターヘッドに係り、特に、パッティングを行った際に、ゴルフボールに強い正順方向回転を与えて伸びのある直進的な転がりを容易に得ることのできるゴルフパターヘッドに関する。
【背景技術】
【０００２】
図４及び図５に示すように、従来のゴルフパターヘッド60は、ゴルフボールＢを打つフェース面62と、地面Ｇと接地する部分であるソール面（底面）64と、ヘッド60の先端部分であるトウ66と、ヘッド60の後端部分であるヒール68を有しており、その上面70にはシャフト72が取付けられている。
【発明の開示】
【発明が解決しようとする課題】
【０００３】
上記した従来のゴルフパターヘッド60は、フェース面62が平面と成されているため、球体であるゴルフボールＢのパッティングを行った際のフェース面62のヒット位置はゴルフボールＢのほぼ赤道部分Ｓとなる。
このため、パッティング直後のゴルフボールＢに回転はなく、単に滑った状態で所定距離進んだ後、ゴルフボールＢが回転を始めていたことから、伸びのある直進的な転がりを得ることができなかった。
【０００４】
この発明は、上記問題に鑑みて案出されたものであり、その目的は、パッティングを行った際に、ゴルフボールに強い正順方向回転を与えて伸びのある直進的な転がりを容易に得ることのできるゴルフパターヘッドを実現することにある。
【課題を解決するための手段】
【０００５】
上記の目的を達成するため、本発明に係るゴルフパターヘッドは、ゴルフボールを打つフェース面と、地面と接地するソール面を有するゴルフパターヘッドであって、上記フェース面を、ゴルフボールの半径と略同一の曲率半径を有する円弧面と成すと共に、上記ソール面を地面に接地させた状態において、ゴルフボールとフェース面とを当接させた際の当接位置が、ゴルフボールの赤道より下方に配置されるよう構成したことを特徴とする。
【０００６】
ゴルフボールとフェース面との当接位置が、当該ゴルフボールの直径の５〜２０％に相当する長さ分、ゴルフボールの赤道より下方に配置されるよう構成するのが好ましい。
【発明の効果】
【０００７】
本発明のゴルフパターヘッドは、フェース面が、ゴルフボールの半径と略同一の曲率半径を有する円弧面と成されていることから、フェース面をゴルフボールにヒットさせた際に強い反発力を与えることができる。
また、ソール面を地面に接地させた状態における、ゴルフボールとフェース面との当接位置がゴルフボールの赤道より下方に配置されるよう構成したので、ゴルフパターヘッドを振り子運動させ、ゴルフパターヘッドが最下点を通過した直後の上昇軌道で、ゴルフボールの赤道より下方位置にフェース面をヒットさせることにより、ゴルフボールに強い正順方向回転を与ることができる。
而して、上記の通り、本発明のゴルフパターヘッドは、ゴルフボールに強い反発力と強い正順方向回転を与ることができることから、伸びのある直進的な転がりを容易に得ることができる。
【０００８】
ゴルフボールとフェース面との当接位置が、当該ゴルフボールの直径の５〜２０％に相当する長さ分、ゴルフボールの赤道より下方に配置されるよう構成しておけば、フェース面をゴルフボールにヒットさせるタイミングや、ゴルフパターヘッドの振り子運動の軌道に多少のバラツキがあっても、フェース面をゴルフボールの赤道より下方位置に容易にヒットさせることができる。
【発明を実施するための最良の形態】
【０００９】
本発明に係るゴルフパターヘッド10は、図１乃至図３に示すように、ゴルフボールＢを打つフェース面12と、地面Ｇと接地する部分であるソール面（底面）14と、ヘッド10の先端部分であるトウ16と、ヘッド10の後端部分であるヒール18を有しており、その上面20にはシャフト22が取付けられている。
【００１０】
上記フェース面12は、ゴルフボールＢの半径Ｒ１と略同一の曲率半径Ｒ２を有する円弧面と成されている。図１において、Ｃ１はゴルフボールＢの中心、Ｃ２はフェース面12の曲率中心である。
尚、略同一とは、フェース面12を構成する円弧面の曲率半径Ｒ２が、ゴルフボールＢの半径Ｒ１と同一の場合の他、±５％の範囲内にある場合をいう。
ゴルフボールＢの直径は、通常４２．７mmであり、従って半径Ｒ１は２１．３５mmであることから、フェース面12を構成する円弧面の曲率半径Ｒ２は２１．３５mmの他、この２１．３５mmの±５％の範囲内、具体的には２０．２８２５〜２２．４１７５mmの範囲内で良い。
【００１１】
また、図１に示すように、本発明のゴルフパターヘッド10は、ソール面14を地面Ｇに接地させた状態において、地面Ｇ上に配置されたゴルフボールＢとフェース面12とを当接させた際の当接位置Ｈが、ゴルフボールＢの赤道Ｓより下方に配置されるよう構成されている。
【００１２】
一般的に、ゴルフのパッティングは、ゴルフパターヘッド10が振り子運動をするように行うのが基本である。
而して、本発明のゴルフパターヘッド10は、上記の通り、フェース面12が、ゴルフボールＢの半径Ｒ１と略同一の曲率半径Ｒ２を有する円弧面と成されていることから、フェース面12をゴルフボールＢにヒットさせた際に強い反発力を与えることができる。
また、ソール面14を地面Ｇに接地させた状態における、ゴルフボールＢとフェース面12との当接位置ＨがゴルフボールＢの赤道Ｓより下方に配置されるよう構成されているので、ゴルフパターヘッド10を振り子運動させ、ゴルフパターヘッド10が最下点を通過した直後の上昇軌道で、ゴルフボールＢの赤道Ｓより下方位置にフェース面12をヒットさせることにより、ゴルフボールＢに強い正順方向回転を与ることができる。
このように、本発明のゴルフパターヘッド10は、ゴルフボールＢに強い反発力と強い正順方向回転を与ることができることから、伸びのある直進的な転がりを容易に得ることができる。
【００１３】
尚、パッティング時に、ゴルフボールＢの赤道Ｓより下方位置にゴルフパターヘッド10をヒットさせる確度を高めるため、ゴルフボールＢとフェース面12との当接位置Ｈが、ゴルフボールＢの直径の５〜２０％に相当する長さ分、ゴルフボールＢの赤道Ｓより下方に配置されるよう構成するのが好ましい。
例えば、ゴルフボールＢの直径が上記の通り４２．７mmの場合には、ゴルフボールＢとフェース面12との当接位置Ｈは、ゴルフボールＢの赤道Ｓより、２．１３５mm〜８．５４mm下方に配置されるよう構成するのが適当である。
このように、ゴルフボールＢとフェース面12との当接位置Ｈが、ゴルフボールＢの直径の５〜２０％に相当する長さ分、ゴルフボールＢの赤道Ｓより下方に配置されるよう構成しておけば、フェース面12をゴルフボールＢにヒットさせるタイミングや、ゴルフパターヘッド10の振り子運動の軌道に多少のバラツキがあっても、フェース面12をゴルフボールＢの赤道Ｓより下方位置に容易にヒットさせることができる。
ゴルフボールＢとフェース面12との上記当接位置Ｈは、ソール面14を所定厚さ削ることにより、適宜調整可能である。
【図面の簡単な説明】
【００１４】
【図１】本発明に係るゴルフパターヘッドを示す正面図である。
【図２】本発明に係るゴルフパターヘッドを示す側面図である。
【図３】本発明に係るゴルフパターヘッドを示す斜視図である。
【図４】従来のゴルフパターヘッドを示す正面図である。
【図５】従来のゴルフパターヘッドを示す側面図である。
【符号の説明】
【００１５】
10  ゴルフパターヘッド
12  フェース面
14  ソール面
16  トウ
18  ヒール
20  上面
22  シャフト
Ｂ  ゴルフボール
Ｇ  地面
Ｓ  ゴルフボールの赤道
Ｒ１ゴルフボールの半径
Ｒ２フェース面を構成する円弧面の曲率半径
Ｃ１ゴルフボールの中心
Ｃ２曲率中心
Ｈ  ゴルフボールとフェース面の当接位置
【図１】
2008012200.tif 000003
【図２】
2008012200.tif 000004
【図３】
2008012200.tif 000005
【図４】
2008012200.tif 000006
【図５】
2008012200.tif 000007